(57)【要約】【課題】  周辺装置が盗まれた場合などに、他のパソコンによる使用ができなくするとともに、不正使用の際に周辺装置の追跡を可能にするシステムを備え、不正使用防止を実効あらしめる手段を搭載した周辺装置を提供するものである。【解決手段】  インターネットに接続された所定の１ホスト装置と接続し、ホスト装置のドライバを介して駆動される周辺装置において、周辺装置にホスト装置のＭＡＣアドレス等の個別情報及びメールアドレス等の通知先情報の記憶手段並びに不正使用情報の送信手段を備え、その記憶手段に個別情報と通知先情報を登録しておき、周辺装置使用の際に周辺装置と接続されたホスト装置の個別情報とその周辺装置に登録された個別情報とを対比照合して、個別情報が同じであれば周辺装置を使用可能とし、異なる場合には周辺装置を使用不可能とし、送信手段が登録された通知先に不正使用情報を送信する。【選択図】      図２
2005346396.tif 000002
【特許請求の範囲】
【請求項１】
ネットワークに接続された所定のホスト装置とローカルに接続し、該ホスト装置のドライバを介して駆動される周辺装置において、該周辺装置は該ホスト装置の個別情報及び不正使用の際の通知先情報を記憶する記憶手段並びにホスト装置に不正使用情報を送信させる送信手段を備えており、該記憶手段に個別情報と通知先情報を登録しておき、該周辺装置使用の際に該周辺装置と接続されたホスト装置の個別情報と該周辺装置に登録された個別情報とを対比照合して、ホスト装置の個別情報と該周辺装置に登録された個別情報が同じであれば該周辺装置の使用を可能とし、異なる場合には該周辺装置の使用を不可能にし、さらに前記送信手段が所定の通知先に不正使用情報を送信することを特徴とする不正使用通知システムを備えた周辺装置。
【請求項２】
前記周辺装置に対する前記所定のホスト装置の個別情報と通知先情報の登録は、専用のユーティリティソフトによって行われることを特徴とする請求項１記載の不正使用通知システムを備えた周辺装置。
【請求項３】
前記周辺装置に対する前記所定のホスト装置の個別情報と通知先情報の登録時に、外部メモリへの個別情報及び通知先情報の書き込みが行われることを特徴とする請求項１記載の不正使用通知システムを備えた周辺装置。
【請求項４】
前記周辺装置において、外部メモリへの個別情報及び通知先情報の書き込みがデータを暗号化して行われることを特徴とする請求項３記載の不正使用通知システムを備えた周辺装置。
【請求項５】
前記周辺装置に対する前記所定のホスト装置の個別情報と通知先情報の登録の削除又は変更は、該個別情報及び通知先情報の書き込みが行われた外部メモリによって行われることを特徴とする請求項１記載の不正使用通知システムを備えた周辺装置。
【請求項６】
前記周辺装置が、画像形成装置であることを特徴とする請求項１記載の不正使用通知システムを備えた周辺装置。
【請求項７】
前記個別情報との対比照合及び所定通知先宛の情報送信が、画像形成装置の電源ＯＮ時又は印刷出力実行時になされることを特徴とする請求項６記載の不正使用通知システムを備えた周辺装置。
【請求項８】
ネットワークに接続された所定のホスト装置とローカルに接続し、該ホスト装置のドライバを介して駆動される周辺装置の不正使用通知システム用のプログラムであって、該周辺装置に備えた該ホスト装置の個別情報及び通知先情報の記憶手段に個別情報と通知先情報を登録しておき、該周辺装置使用の際に該周辺装置に接続されたホスト装置の個別情報と該周辺装置に登録された個別情報とを対比照合して、ホスト装置の個別情報と該周辺装置に登録された個別情報が同じであれば該周辺装置の使用を可能とし、異なる場合には該周辺装置の使用を不可能とし、さらに該周辺装置の送信手段がホスト装置に前記所定通信先宛に不正使用情報を送信させることを特徴とする不正使用通知システム用のプログラム。
【請求項９】
請求項８記載の不正使用通知システム用のプログラムを固定したことを特徴とする記録媒体。
【発明の詳細な説明】
【技術分野】
【０００１】
本発明は、ＧＤＩ（Ｇｒａｐｈｉｃｓ  Ｄｅｖｉｃｅ  Ｉｎｔｅｒｆａｃｅ）プリンタ等のパソコンの周辺装置の不正使用防止に関するもので、これらの周辺装置の盗難時の不正使用を防止し、不正使用の際に追跡を可能にするシステムを備えた周辺装置、そのプログラム及びプログラムを固定した記録媒体にかかるものである。
【背景技術】
【０００２】
一般にプリンタ、スキャナ又はＰＤＡ（Ｐｅｒｓｏｎａｌ  Ｄｉｇｉｔａｌ  Ａｓｓｉｓｔａｎｔ）などパソコンにドライバを介して接続されるパソコンの周辺装置は、比較的盗難等に逢いやすく、特にＧＤＩプリンタ等小型のプリンタは盗難に逢いやすいため、現在その対策が問題になっている。そのため、これらの装置の盗難後の不正使用を防止しかつ不正使用の際に追跡を可能にする不正使用防止装置が望まれている。
【０００３】
従来、このような機器における不正使用防止装置として、特許文献１あるいは特許文献２のような不正使用、情報の改竄、盗難を防止することができるマルチファンクション端末装置が知られている。
【０００４】
下記特許文献１のマルチファンクション端末装置は無線携帯端末に接続されてデータ交換する場合に、無線携帯端末の識別を行わずにデータ交換すると、データの不正使用、情報の改竄、盗難等が起こる可能性があるので、パスワードや無線携帯端末のＩＤ番号や電話番号のような個別情報を識別するものである。そのマルチファンクション端末装置は無線携帯端末との間のデータ交換を制限したり、マルチファンクション端末装置が持つ一部の機能を制限するためのパスワードを設定して置くことが記載されている。無線携帯端末の電話番号やＩＤ番号等の個別情報はパスワードと同様に使用することができる。マルチファンクション端末装置は、接続した無線携帯端末の個別情報と照合して、設定されたパスワードと同じであれば無線携帯端末からのデータのダウンロードが開始される。照合の結果個別情報が異なる場合は処理を中止する。
【０００５】
特許文献２のマルチファンクション端末装置は、無線携帯端末に接続されてデータ交換する場合に、無線携帯端末の識別を行わずにデータ交換すると、データの不正使用、情報の改竄、盗難等が起こる可能性があるので、パスワードや無線携帯端末のＩＤ番号や電話番号のような個別情報を識別することは特許文献１と同様であり、さらにメモリの残量を調べるようにしたものである。そして、メモリの残量に余裕のないときに無線携帯端末のメモリ上のデータをマルチファンクション端末装置に移動させ、確実にデータ受信を実現することができるようにしたものである。同マルチファンクション端末装置が、接続した無線携帯端末の個別情報と照合して、個別情報の照合結果が異なる場合にはマルチファンクション端末装置と無線携帯端末との間のデータ交換を制限したり、マルチファンクション端末装置が持つ一部の機能を制限することができるのは、特許文献１と同様である。
【０００６】
上記のマルチファンクション端末装置は、マルチファンクション端末装置に接続される無線携帯端末の個別情報を認識し、それによってマルチファンクション端末装置とデータの送受信を行うことができる無線携帯端末を制限しようとする技術である。
しかしながら、特許文献１および特許文献２の発明は、マルチファンクション端末装置自体の盗難を防止したり、盗難後のマルチファンクション端末装置を追跡するには無力である。また、従来技術には不正使用防止の鍵となる個別情報をどのような手段により周辺装置に登録するかについて記載されていないし、不正使用について正当な使用者に通報するシステムも何ら示されていない。
【０００７】
【特許文献１】特開２００３−２３４８８号公報（段落〔０００４〕〜〔０００５〕、〔００９９〕〜〔０１１２〕、図１）
【特許文献２】特開２００３−２３４７７号公報（段落〔０００４〕〜〔０００６〕、〔０１００〕〜〔０１１０〕、図２）
【発明の開示】
【発明が解決しようとする課題】
【０００８】
本願の発明者は、前記の問題点を解決すべく種々検討を行った結果、例えばＭＡＣアドレス（Ｍｅｄｉａ  Ａｃｃｅｓｓ  Ｃｏｎｔｒｏｌ  Ａｄｄｒｅｓｓ）や、型式・製造番号のようなパソコンごとに異なる固有の情報（以下「個別情報」という）とメールアドレス（通知先情報）に着目し、個別情報によってホストＰＣとの照合を行い、不正使用の場合には使用を制限し、且つメールアドレスによって正当な使用者あるいは指定された連絡先に自動的に不正使用が行われた旨の通知を行うことによって、使用を制限できるとともに盗難にあった場合にも周辺装置の追跡が可能な周辺装置が得られることを見出し、本発明を完成するに至ったものである。
【０００９】
すなわち、本発明は上述した問題点に鑑みてなされたものであり、本発明の目的は、ＧＤＩプリンタのような周辺装置が盗まれた場合に、他のホストＰＣによる使用を制限するとともに、不正使用の際に追跡を可能にするシステムを備え、不正使用防止を実効あらしめる手段を搭載した周辺装置等を提供するものである。
【００１０】
また、本発明は不正使用防止の鍵となる個別情報を周辺装置に登録する手段及び不正使用について正当な使用者等に通報する手段等を提供しようとするものである。
【課題を解決するための手段】
【００１１】
前記課題を解決するために、本願の請求項１に係る発明は、不正使用通知システムを備えた周辺装置に係り、ネットワークに接続された所定のホスト装置とローカルに接続し、該ホスト装置のドライバを介して駆動される周辺装置において、該周辺装置は該ホスト装置の個別情報及び不正使用の際の通知先情報を記憶する記憶手段並びにホスト装置に不正使用情報を送信させる送信手段を備えており、該記憶手段に個別情報と通知先情報を登録しておき、該周辺装置使用の際に該周辺装置と接続されたホスト装置の個別情報と該周辺装置に登録された個別情報とを対比照合して、ホスト装置の個別情報と該周辺装置に登録された個別情報が同じであれば該周辺装置の使用を可能とし、異なる場合には該周辺装置の使用を不可能にし、更に前記送信手段が所定の通知先に不正使用情報を送信することを特徴とする。
【００１２】
また、本願の請求項２に係る発明は、請求項１記載の不正使用通知システムを備えた周辺装置において、前記周辺装置に対する前記所定のホスト装置の個別情報と通知先情報の登録は、専用のユーティリティソフトによって行われることを特徴とするものである。
【００１３】
また、本願の請求項３に係る発明は、請求項１記載の不正使用通知システムを備えた周辺装置において、前記周辺装置に対する前記所定のホスト装置の個別情報と通知先情報の登録時に、外部メモリへの個別情報及び通知先情報の書き込みが行われることを特徴とするものである。
【００１４】
また、本願の請求項４に係る発明は、請求項３記載の不正使用通知システムを備えた周辺装置において、前記周辺装置における外部メモリへの個別情報及び通知先情報の書き込みがデータを暗号化して行われることを特徴とするものである。
【００１５】
また、本願の請求項５に係る発明は、請求項１記載の不正使用通知システムを備えた周辺装置において、前記周辺装置に対する前記所定のホスト装置の個別情報と通知先情報の登録の削除又は変更は、該個別情報及び通知先情報の書き込みが行われた外部メモリによって行われることを特徴とするものである。
【００１６】
また、本願の請求項６に係る発明は、請求項１の不正使用通知システムを備えた周辺装置において、前記周辺装置が、画像形成装置であることを特徴とするものである。
【００１７】
また、本願の請求項７に係る発明は、請求項６の不正使用通知システムを備えた周辺装置において、前記個別情報との対比照合及び所定通知先宛の情報送信が、画像形成装置の電源ＯＮ時又は印刷出力実行時になされることを特徴とするものである。
【００１８】
また、本願の請求項８に係る発明は、不正使用通知システム用のプログラムに係り、ネットワークに接続された所定のホスト装置とローカルに接続し、該ホスト装置のドライバを介して駆動される周辺装置の不正使用通知システム用のプログラムであって、該周辺装置に備えた該ホスト装置の個別情報及び通知先情報の記憶手段に個別情報と通知先情報を登録しておき、該周辺装置使用の際に該周辺装置に接続されたホスト装置の個別情報と該周辺装置に登録された個別情報とを対比照合して、ホスト装置の個別情報と該周辺装置に登録された個別情報が同じであれば該周辺装置を使用可能とし、異なる場合には該周辺装置の使用を不可能とし、さらに該周辺装置の送信手段がホスト装置に前記所定通信先宛に不正使用情報を送信させることを特徴とするものである。
【００１９】
また、本願の請求項９に係る発明は、記録媒体であって請求項８記載の不正使用通知システム用のプログラムを固定したことを特徴とするものである。
【発明の効果】
【００２０】
本願の請求項１の発明によれば、周辺装置内の記憶手段にホスト装置の個別情報を登録しておき、接続されたホスト装置の個別情報と照合するようにしたので、盗難後の不正使用を規制できる。また、周辺装置内に通知先情報を登録しておく記憶手段とホスト装置に不正使用情報を送信させる送信手段とを備えており、不正使用の際には予め登録した通知先宛てに不正使用の情報を送信するので周辺装置が盗難にあった場合でもその追跡が容易になり、ひいては盗難防止に役立つことになる。
【００２１】
本願の請求項２の発明によれば、周辺装置に対する所定のホスト装置の個別情報と通知先情報の登録は専用のユーティリティソフトによって行われ、ユーティリティソフトの改変は困難であるので、不正使用通知システムが有効に機能するようになる。
【００２２】
本願の請求項３の発明によれば、周辺装置に対する所定のホスト装置の個別情報と通知先情報の登録時に、外部メモリへの個別情報及び通知先情報の書き込みが行われ、この不正使用通知システムの鍵となる外部メモリが得られる。このようにして、確実な個別情報と通知先情報の照合手段が得られることになる。
【００２３】
本願の請求項４の発明によれば、外部メモリへの個別情報及び通知先情報の書き込みが暗号化して行われるために、これらの情報の盗用、改変を防止することができ、不正使用通知システムを強固にすることができるようになる。
【００２４】
本願の請求項５の発明によれば、周辺装置に対する接続された所定のホスト装置の個別情報と通知先情報の登録の削除又は変更には、その個別情報及び通知先情報の書き込みが行われた外部メモリが必要となるので、不正使用通知システムを確実に実施することができる。
【００２５】
本願の請求項６の発明は、周辺装置が画像形成装置であり、問題となっているＧＤＩプリンタ等の不正使用に対する保護を図ることができるものである。
【００２６】
本願の請求項７の発明は、前記個別情報との対比照合及び登録通知先宛の不正使用情報の送信が、画像形成装置の電源ＯＮ時又は印刷出力実行時になされるので、早期の不正使用情報入手に役立つものである。加えて、前記対比照合が電源ＯＮ時に行われるようになせば、印刷出力毎に対比照合を行うことがないため、ジョブごとの処理時間を短縮することができるようになる。
【００２７】
本願の請求項８の発明は、周辺装置に対する所定のホスト装置の個別情報と通知先情報の登録や不正使用の通知を専用のユーティリティソフトで行うので不正使用に対する保護を確実に実施することができる。
【００２８】
本願の請求項９の発明は、周辺装置に対する特定のホスト装置の個別情報と通知先情報の登録や不正使用の通知を、専用のユーティリティソフトを記録した記録媒体で行うので不正使用に対する保護を容易に実施することができる。
【発明を実施するための最良の形態】
【００２９】
以下、本発明にかかる装置、そのプログラム及び記録媒体について、実施例を添付の図面を参照して詳細に説明する。ただし、以下に示す実施形態は、本発明の技術思想を具体化するための一例を示すものであって、本発明をこれらに特定することを意図するものではなく、その要旨を逸脱しない範囲において種々変更可能であり、特許請求の範囲に含まれるその他の実施形態のものにも等しく適用し得るものである。
【実施例１】
【００３０】
図１は、本発明の一実施例に係るプリンタの構成と、同プリンタとホスト装置との接続を示すブロック図である。図２は図１の実施例におけるプリンタとホスト装置のソフトの構成を示すブロック図である。図３は、ホスト装置によってプリンタ内の記憶手段にホスト装置の個別情報及び通知先情報を登録し、同時に外部メモリにも保持する初期登録の手順の一例を示すフローチャートである。図４は、初期登録を行ったプリンタにより印刷を行う手順を示すフローチャートである。図５は、プリンタが正常な手続により特定の接続関係を解消しあるいは変更する場合の処理を示すフローチャートである。
【００３１】
図１には、周辺装置の一例としてネットワークに接続された１ホスト装置にローカル接続して使用されるプリンタ１の構成と、プリンタ１と接続して印刷指示・データ転送を実行するホスト装置であるホストＰＣ９との接続が示されている。ただし、本実施例においてはＰＣにローカルに接続されるプリンタについて説明するが、ＰＣにドライバを介して接続される他の周辺装置（例えば、スキャナ、ＰＤＡ等）にも同様に適応可能であることは当業者にとり自明であろう。
プリンタ１は、その操作部２、表示装置３、インタフェース部４、制御装置５、記憶装置６、及び印刷装置７からなる。このプリンタ１のインタフェース部４にケーブル８を介してホストＰＣ９が、接続されている。
【００３２】
プリンタ１には、さらにホストＰＣ９のＭＡＣ（Ｍｅｄｉａ  Ａｃｃｅｓｓ  Ｃｏｎｔｒｏｌ）アドレス、シリアルナンバー等のホストＰＣ９が特定できる個別情報及び正当な使用者の、あるいは指定した連絡先のメールアドレスのような通知先情報の記憶手段１１並びに不正使用が行われた場合にホストＰＣ９を介して通知先に個別情報等を送信する送信手段１２を備えている。個別情報及び通知先情報の記憶手段は不揮発性ＲＡＭ２３（図２参照）である。
【００３３】
またプリンタ１には、ソフトウエアとしてプリンタコントローラ２１、プリンタエンジン２２が搭載され、一方ホスト装置であるホストＰＣ９には、オペレーションシステムＯＳ、プリンタドライバ２４、アプリケーションソフト２５、初期登録画面２６１及び登録削除画面２６２を含むユーティリティソフト２６及びフレキシブルディスクドライブ２７などが搭載され、ＮＩＣ（Ｎｅｔｗｏｒｋ  Ｉｎｔｅｒｆａｃｅ  Ｃａｒｄ）を介してインターネット２８に接続されるとともにプリンタ１とＵＳＢケーブル（あるいはプリンタケーブルでも良い）８でローカルに接続されている。ちなみに、ここでは外部メモリドライブの一例としてフレキシブルディスクドライブ２７を例示したが、これに限らず、ＣＤ−Ｒドライブ、ＤＶＤ−Ｒドライブなど、種々の外部メモリドライブを備えていても良い。
【００３４】
本発明は、その個別情報及び通知先情報の記憶手段１１に初期登録の際にホストＰＣ９の個別情報と連絡先のメールアドレス等の通知先情報を登録しておき、プリンタ１を使用する際にパソコンから印刷ジョブが送信されると、プリンタ１に接続されたパソコンの個別情報とプリンタ１に登録された個別情報とを照合する。パソコンの個別情報とプリンタ１に登録された個別情報を対比照合して、同じであればプリンタ１を使用可能にして印刷が実行される。プリンタ１が盗難に遭うなどしてホスト装置との組み合わせが変更されていて個別情報が異なっている場合には、プリンタ１は不正使用と判断して、プリンタ１を使用不可能にして印刷を実行しない。同時にその送信手段１２が登録されている通知先宛に不正使用情報を送信する。不正使用情報は、新たに接続された個別情報の異なるホストＰＣ９'を通し、そのメール機能を使用して予め通知先情報として登録されている通知先宛に送信される。
【００３５】
図３は、プリンタ１が初めて所定のホスト装置であるホストＰＣ９に接続されたとき、ホストＰＣ９によってプリンタ１内の記憶手段１１にホストＰＣ９の個別情報及び通知先情報を登録し、同時に暗号化して外部記憶装置に保持する手順の一例を示すフローチャートである。なお、図において、重要でない要求コマンド又はレポートは省略されている。以下には、まずフローチャートのメインルーチンの説明を行い、その後サブルーチンを説明する。
【００３６】
プリンタ１をホスト装置のホストＰＣ９に初めて接続したときにユーザが実施する初期登録について説明する。
まず、ユーザは専用のユーティリティソフト２６を起動する（ステップ＃２０１）。ユーティリティソフト２６は、初期登録画面２６１を表示して（＃２０２）、プリンタ１の正当な使用者のメールアドレスなどの通知先情報及びＭＡＣアドレスなどの個別情報を入力させる（＃２０３）。ユーティリティソフト２６は、通知先情報とホストＰＣ９の個別情報をプリンタ１に送信する（＃２０４）。プリンタ１は、プリンタ１の記憶手段１１に既に書き込みがあるかどうか調べ（＃２０５）、既に書き込まれている場合には、ホストＰＣにその旨の表示等を行った後、初期登録画面を終了し（＃２０８）、書きこまれていない場合には、送信されてきた通知先情報とホストＰＣ９の個別情報をプリンタ１の記憶手段１１の不揮発性メモリに書きこむ（＃２０６）。ユーティリティソフト２６は、通知先情報とホストＰＣ９の個別情報を暗号化してフレキシブルディスクドライブ２７に装着されたフレキシブルディスクＦＤに書きこみ（＃２０７）、書き込みが終わるとユーティリティソフト２６は初期登録画面２６１を完了する（＃２０８）。
【００３７】
図４のフローチャートにおいては、初期登録を行ったプリンタ１にホスト装置から印刷を行う場合の手順を示す。
【００３８】
まず正常な印刷の場合、すなわち、初期登録を行ったホストＰＣ９から印刷を行う場合について説明する。
ユーザによりホストＰＣ９の各種のアプリケーションソフト２５が起動され（＃３０１）、印刷命令が行われると（＃３０２）、プリンタドライバ２４が起動して、ホストＰＣ９の個別情報をプリンタ１に送信する（＃３０３）。プリンタ１は送られてきた個別情報と記憶手段１１に登録してある個別情報とを対比照合して（＃３０４）、同じであれば認証成功のステータスを返す（＃３０５）。認証成功ならば、プリンタドライバ２４はプリンタ１に印刷データを送信し（＃３０６）、プリンタ１は送られた印刷データを印刷出力する（＃３０７）。
【００３９】
次に不正印刷の場合、例えばプリンタ１が盗難にあって別のホストＰＣ９'に接続されたなどの場合で、初期登録を行っていないホストＰＣ９'からプリンタ１により印刷を行う場合について説明する。
不正使用ユーザはホストＰＣ９'の各種アプリケーションソフト２５'から印刷命令を行うと（＃３０１）（＃３０２）、プリンタドライバ２４'が起動して、ホストＰＣ９'の個別情報をプリンタ１に送信する（＃３０３）。プリンタ１は送られてきた個別情報と記憶手段１１に前記初期登録時に登録した個別情報とを対比照合して（＃３０４）、個別情報が異なっているので認証失敗のステータスと登録してある通知先情報をホストＰＣ９'に返す（＃３０８）。ホストＰＣ９'は、プリンタ１が不正な印刷出力の要求を受けたことと不正使用ホストＰＣ９'のＭＡＣアドレス、ＩＰ（Ｉｎｔｅｒｎｅｔ  Ｐｒｏｔｏｃｏｌ）アドレスなどの不正使用パソコンの個別情報を記載したメールをプリンタ１に登録された通知先に対して送信するよう指示し（＃３０９）、それとほぼ同時にプリンタドライバ２４'は印刷データの送信を拒絶し、印刷処理を停止する（＃３１０）。
【００４０】
この場合、メール送信は、ホスト装置がネットワークに接続しているのであれば、プリンタにメーラ機能を持たせなくとも、不正接続されたホスト装置（９'）のメーラ機能を利用して不正接続されたホスト装置からプリンタ１内に登録している通知先に送信させればよい。また、メール送信に限らず、ネットワークを経由して所定の通知先にデータを送信するようにしてもよい。送信内容としては、ホスト装置の機種名、シリアルナンバー、不正使用に供したホスト装置のメーラに登録されているメールアドレス、そのホスト装置の登録されたユーザ名などが想定される。また、個別情報の対比照合及びメールアドレス宛の情報送信は、印刷実行時ではなく、プリンタの電源ＯＮ時に行われるようにしてもよい。
【００４１】
図５は、図３の登録処理を行った後に行う個別情報の消去、変更、すなわち正常な手続で所定のホスト装置とのローカルな接続関係を解消しあるいは変更処理する場合のフローチャートを示す。
【００４２】
この場合はまず登録削除を行う。外部メモリに記憶された個別情報、通知先情報を現在プリンタ内に登録保持されている個別情報、通知先情報と照合し、同じである場合のみ変更を認めるものである。アドレス消去変更アルゴリズムの一例である。
すなわち、ユーザはユーティリティソフト２６を起動する（＃４０１）と、ユーティリティソフト２６は、登録削除画面２６２を表示し（＃４０２）、初期登録で作成した外部記憶装置であるフレキシブルディスクＦＤを挿入させる（＃４０３）。ユーティリティソフト２６は、フレキシブルディスクＦＤから個別情報と通知先情報を読み取り、プリンタ１に送信する（＃４０４）。プリンタ１は送られてきた個別情報と通知先情報をプリンタ１内に登録保持されている個別情報、通知先情報と照合して（＃４０６）、同じであれば、記憶手段１１すなわち不揮発性メモリ２３の内容をクリアする（＃４０７）。データがクリアされると、ユーティリティソフト２６は登録削除画面２６２を完了して終了する（＃４０８）。
【００４３】
上述のように登録内容を削除した後、新たに接続するホスト装置を登録したい場合は、図３に示す初期登録と同様の手順で登録を行えばよい。
フレキシブルディスクＦＤの挿入命令に反して挿入がなければ、登録の削除が拒否される（＃４０５）。またＦＤが挿入されても個別情報と通知先情報が異なっていれば記憶手段１１のデータクリアは拒否される（＃４０９）。
【００４４】
登録解除に外部メモリを使用するのは、別の記録媒体でのみ登録解除が許可されるようにすることによりセキュリティが高められるためである。外部メモリとしては、フレキシブルディスクに限らずＣＤ−Ｒ、ＤＶＤ−Ｒ、半導体メモリ（例えばフラッシュメモリ（登録商標名））等任意のものを選択することができる。
以上説明した不正使用防止のプログラムについては、記録媒体に固定しユーティリティソフトとして使用できるようにするのが好ましい。
【図面の簡単な説明】
【００４５】
【図１】図１は、本発明の１実施例に係るプリンタの構成と、同プリンタとホスト装置との接続を示すブロック図である。
【図２】図１の実施例におけるプリンタとホスト装置におけるソフトの構成を示すブロック図である。
【図３】ホスト装置によってプリンタ内の記憶手段にホスト装置の個別情報及び通知先情報を登録し、同時に外部メモリにも保持する初期登録の手順の一例を示すフローチャートである。
【図４】初期登録を行ったプリンタにより印刷を行う手順を示すフローチャートである。
【図５】プリンタが正常な手続により特定の接続関係を解消しあるいは変更する場合の処理を示すフローチャートである。
【符号の説明】
【００４６】
１      プリンタ
２      操作部
３      表示装置
４      インタフェース部
５      制御装置
６      記憶装置
７      印刷装置
８      ケーブル
９      ホスト装置
１１    記憶手段
１２    送信手段
２１    プリンタコントローラ
２２    プリンタエンジン
２３    個別情報と通知先情報
２４    プリンタドライバ
２５    アプリケーションソフト
２６    ユーティリティソフト
２７    フレキシブルディスクドライブ
【図１】
2005346396.tif 000003
【図２】
2005346396.tif 000004
【図３】
2005346396.tif 000005
【図４】
2005346396.tif 000006
【図５】
2005346396.tif 000007